(57)【要約】【課題】サーバに対し登録する端末数の削減を図ることを可能とし、しかもパーソナル・コンピュータと電話機との連携による通話サービス処理を実現可能なネットワーク電話システムを提供する。【解決手段】電話帳サーバ装置４をＳＩＰサーバ装置３に登録しておき、しかも電話帳サーバ装置４に、未登録のパーソナル・コンピュータからの要求に応じて要求元のパーソナル・コンピュータに対しＳＩＰサーバ装置３に登録されている全電話端末２−１〜２−ｎの電話帳データを提供して、パーソナル・コンピュータにて発信先の電話端末２−ｎが選択された場合に、ＳＩＰサーバ装置３に対し発信元となる電話端末２−２及び着信先の電話端末２−ｎへの接続指示を行う機能を設けて、Click To Dialサービスを実行する場合に、制御処理をＳＩＰサーバ装置３と電話帳サーバ装置４との間で協働して実行できるようにしている。【選択図】図１
2006333220.tif 000002
【特許請求の範囲】
【請求項１】
音声パケットを伝送する通信ネットワークに接続される複数の電話端末と、これら複数の電話端末をそれぞれ前記通信ネットワーク上で識別するための識別情報を第１の記録媒体に記憶し、この第１の記録媒体上の複数の識別情報に基づいて該当する複数の電話端末間を前記通信ネットワークを介して接続し、前記複数の電話端末間で音声通信を行わせる第１のサーバ装置とを備えたネットワーク電話システムにおいて、
前記通信ネットワークに接続されると共に当該通信ネットワーク上で自己を識別するための識別情報が前記第１のサーバ装置の第１の記録媒体に記憶され、前記通信ネットワークに接続される全電話端末の識別情報を第２の記録媒体に記憶し管理する第２のサーバ装置を具備し、
前記第２のサーバ装置は、
コンピュータ装置からの要求に応じて、前記第２の記録媒体上の電話端末の識別情報を含むリスト情報を前記コンピュータ装置に対し送出するリスト情報送信手段と、
前記リスト情報の送出に対し前記コンピュータ装置にて前記リスト情報の中から選択された要求元となる電話端末の識別情報及び接続要求先となる電話端末の識別情報を取得する取得手段と、
この取得手段により得られた要求元の識別情報及び接続要求先の識別情報を含む接続要求を前記第１のサーバ装置に対し送出する要求送信手段とを備え、
前記第１のサーバ装置は、
前記第２のサーバ装置から前記接続要求が送られた場合に、この接続要求に応じて要求元の電話端末と要求先の電話端末とを接続する接続手段とを備えたことを特徴とするネットワーク電話システム。
【請求項２】
前記取得手段は、前記通信ネットワークを介した既知の制御信号の通信により、前記通信ネットワークに接続されたコンピュータ装置から要求元の識別情報及び接続要求先の識別情報を取得することを特徴とする請求項１記載のネットワーク電話システム。
【請求項３】
前記リスト情報送信手段は、複数のコンピュータ装置からの要求に応じて、当該複数のコンピュータ装置に対しそれぞれリスト情報を時分割で送信し、
前記取得手段は、前記複数のコンピュータ装置から送られる複数の要求元の識別情報及び接続要求先の識別情報を時分割で取得し、
前記要求送信手段は、前記第１のサーバ装置に対し複数の接続要求を時分割で送信することを特徴とする請求項１記載のネットワーク電話システム。
【請求項４】
前記第２のサーバ装置は、前記識別情報に対応付けて接続されるコンピュータ装置の認証を行うための認証情報を前記第２の記録媒体に記憶し、
前記リスト情報送信手段は、前記コンピュータ装置に対し前記認証情報の送出要求を送信し、この送出要求に対し当該コンピュータ装置から送られた認証情報に基づいて、前記リスト情報を前記コンピュータ装置に送信することを特徴とする請求項１記載のネットワーク電話システム。
【請求項５】
音声パケットを伝送する通信ネットワークに接続される複数の電話端末と、これら複数の電話端末をそれぞれ前記通信ネットワーク上で識別するための識別情報を第１の記録媒体に記憶し、この第１の記録媒体上の複数の識別情報に基づいて該当する複数の電話端末間を前記通信ネットワークを介して接続し、前記複数の電話端末間で音声通信を行わせる第１のサーバ装置と、前記通信ネットワークに接続されると共に当該通信ネットワーク上で自己を識別するための識別情報が前記第１のサーバ装置の第１の記録媒体に記憶され、前記通信ネットワークに接続される全電話端末の識別情報を第２の記録媒体に記憶し管理する第２のサーバ装置とを具備したネットワーク電話システムで前記第２のサーバ装置として使用されるサーバ装置であって、
コンピュータ装置からの要求に応じて、前記第２の記録媒体上の電話端末の識別情報を含むリスト情報を前記コンピュータ装置に対し送出するリスト情報送信手段と、
前記リスト情報の送出に対し前記コンピュータ装置にて前記リスト情報の中から選択された要求元となる電話端末の識別情報及び接続要求先となる電話端末の識別情報を取得する取得手段と、
この取得手段により得られた要求元の識別情報及び接続要求先の識別情報を含む接続要求を前記第１のサーバ装置に対し送出する要求送信手段とを具備したことを特徴とするネットワーク電話システムのサーバ装置。
【発明の詳細な説明】
【技術分野】
【０００１】
この発明は、例えばＶＯＩＰ(Voice Over Internet Protocol）電話システム等のように、ＩＰ網を介して電話端末とコンピュータとを接続し、これら電話端末とコンピュータとが連携して音声通信を実行するネットワーク電話システム及びこのネットワーク電話システムのサーバ装置に関する。
【背景技術】
【０００２】
近年、パケット網を介して、双方向に画像や音声をパケットデータとして、リアルタイムに送受信するネットワーク電話システム（ＶＯＩＰ電話システム）が普及し始めている。このＶＯＩＰ電話システムでは、そのプロトコルとしてＳＩＰ（Session Initiation Protocol）が広く使われている。
【０００３】
この種のシステムでは、パケット網に接続される端末（以下、ＳＩＰ端末と称する）のアドレスをパケット網上のサーバ（以下、ＳＩＰサーバと称する）に予め登録しておき、ＳＩＰ端末間で通話を行う際に、上記登録されたアドレスを基にＳＩＰサーバがＳＩＰ端末の認証を行うようにしている。
【０００４】
ところで、上記システムでは、電話機とパーソナル・コンピュータとで連携してパケット網を介して音声通信を行うサービスもある（例えば、特許文献１及び非特許文献１）。この種のサービスは、Click To Dialサービスと呼ばれる。この場合、パーソナル・コンピュータは、パケット網に接続されている全ＳＩＰ端末の電話番号を画面上に表示する。この状態でユーザが通話したい相手を指定すると、パーソナル・コンピュータに接続されている電話機に対してＳＩＰメッセージで通話相手への発信指示がなされる。
【特許文献１】特開２００１−１２７９０２号公報
【非特許文献１】ｄｒａｆｔ−ｉｅｔｆ−ｓｉｐｐｉｎｇ−ｓｅｒｖｉｃｅ−ｅｘａｍｐｌｅｓ−０７．ｔｘｔの２．１９章。
【発明の開示】
【発明が解決しようとする課題】
【０００５】
上記サービスは、電話機の他にパーソナル・コンピュータもＳＩＰサーバに予め登録しておくことで実現されることになる。この場合、人員の増加や業務内容の変化等に応じて電話機を追加する必要が生じると、追加する電話機の台数分のパーソナル・コンピュータをＳＩＰサーバに登録する必要が生じることになる。このため、ＳＩＰサーバのメモリ容量を圧迫することになり、ＳＩＰサーバのリソースを必要以上に消費してしまうことになる。この問題点は、システムの規模が大きくなればなるほど顕著となり非常に好ましくない。
【０００６】
そこで、この発明の目的は、サーバに対し登録する端末数の削減を図ることを可能とし、しかもパーソナル・コンピュータと電話機との連携による通話サービス処理を実現可能なネットワーク電話システム及びこのネットワーク電話システムのサーバ装置を提供することにある。
【課題を解決するための手段】
【０００７】
この発明は、上記目的を達成するために、以下のように構成される。  
音声パケットを伝送する通信ネットワークに接続される複数の電話端末と、これら複数の電話端末をそれぞれ前記通信ネットワーク上で識別するための識別情報を第１の記録媒体に記憶し、この第１の記録媒体上の複数の識別情報に基づいて該当する複数の電話端末間を通信ネットワークを介して接続し、複数の電話端末間で音声通信を行わせる第１のサーバ装置とを備えたネットワーク電話システムにおいて、通信ネットワークに接続されると共に当該通信ネットワーク上で自己を識別するための識別情報が第１のサーバ装置の第１の記録媒体に記憶され、通信ネットワークに接続される全電話端末の識別情報を第２の記録媒体に記憶し管理する第２のサーバ装置を具備し、第２のサーバ装置は、コンピュータ装置からの要求に応じて、第２の記録媒体上の電話端末の識別情報を含むリスト情報をコンピュータ装置に対し送出するリスト情報送信手段と、リスト情報の送出に対しコンピュータ装置にてリスト情報の中から選択された要求元となる電話端末の識別情報及び接続要求先となる電話端末の識別情報を取得する取得手段と、この取得手段により得られた要求元の識別情報及び接続要求先の識別情報を含む接続要求を第１のサーバ装置に対し送出する要求送信手段とを備え、第１のサーバ装置は、第２のサーバ装置から接続要求が送られた場合に、この接続要求に応じて要求元の電話端末と要求先の電話端末とを接続する接続手段とを備えるようにしたものである。
【０００８】
この構成によれば、電話端末とコンピュータ装置との連携サービスを実行する場合に、複数のコンピュータ装置に代えて１台の第２のサーバ装置を第１のサーバ装置に登録するようにし、しかも第２のサーバ装置に、未登録のコンピュータ装置からの要求に応じて要求元のコンピュータ装置に対し第１のサーバ装置に登録されている全電話端末のリスト情報を提供して、未登録のコンピュータ装置にて発信元の電話端末及び着信先の電話端末が選択された場合に、第１のサーバ装置に対し発信元の電話端末及び着信先の電話端末への接続指示を行う機能を設けるようにしている。すなわち、電話端末とコンピュータ装置との連携による通話サービス制御を実行する場合に、制御処理を第１のサーバ装置に頼らずに第２のサーバ装置で分担して実行することが可能となり、これにより電話端末とコンピュータ装置との連携による通話サービス制御を第１及び第２のサーバ装置が協働して効率良く実行できる。
【０００９】
従って、第１のサーバ装置に対し複数の電話端末と第２のサーバ装置のみを登録しておけばよく、これにより第１の記録媒体の記憶容量を低減することができ、リソース消費得量を適正量に抑えることができる。また、第２のサーバ装置には必要時にのみ未登録のコンピュータ装置が接続されることになるため、第２のサーバ装置を多数の未登録のコンピュータ装置で共用する場合にその有効利用率を高めることができる。
【００１０】
取得手段は、通信ネットワークを介した既知の制御信号の通信により、通信ネットワークに接続されたコンピュータ装置から要求元の識別情報及び接続要求先の識別情報を取得することを特徴とする。  
この構成によれば、ＨＴＴＰ（Hyper Text Transfer Protocol）通信のような既存の制御信号の通信を利用して電話端末とコンピュータ装置との連携サービスを実行することが可能となる。従って、ＳＩＰによる音声通信リンクを新たに設ける必要がなく、これにより簡単に実施できる。
【００１１】
リスト情報送信手段は、複数のコンピュータ装置からの要求に応じて、当該複数のコンピュータ装置に対しそれぞれリスト情報を時分割で送信し、取得手段は、複数のコンピュータ装置から送られる複数の要求元の識別情報及び接続要求先の識別情報を時分割で取得し、要求送信手段は、第１のサーバ装置に対し複数の接続要求を時分割で送信することを特徴とする。
【００１２】
この構成によれば、複数の未登録のコンピュータ装置との間で、リスト情報の送出処理、発信元の識別情報及び着信先の識別情報の取得処理、第１のサーバ装置に対する接続要求の送出処理を時分割で行うようにしているので、異なるコンピュータ装置に係わる複数の通話サービスの実行要求が同一時間帯に発生した場合でも、これら通話サービスに係わる情報の転送を並行して行えるようになり、これにより上記複数の通話サービスの制御を効率良く実行できる。
【００１３】
第２のサーバ装置は、識別情報に対応付けて接続されるコンピュータ装置の認証を行うための認証情報を第２の記録媒体に記憶し、リスト情報送信手段は、コンピュータ装置に対し前記認証情報の送出要求を送信し、この送出要求に対し当該コンピュータ装置から送られた認証情報に基づいて、リスト情報をコンピュータ装置に送信することを特徴とする。
【００１４】
この構成によれば、第２のサーバ装置が保有するユーザの認証情報を利用して、リスト情報の提供に先立ち、ユーザの存在の有無等についてもチェックされ、これによりユーザの正当性を事前に確実に判断することができ、電話帳発信サービスの信頼性の向上を図ることができる。
【発明の効果】
【００１５】
以上詳述したようにこの発明によれば、サーバに対し登録する端末数の削減を図ることを可能とし、しかもパーソナル・コンピュータと電話機との連携による通話サービス処理を実現可能なネットワーク電話システム及びこのネットワーク電話システムのサーバ装置を提供することができる。
【発明を実施するための最良の形態】
【００１６】
以下、この発明の実施形態について図面を参照して詳細に説明する。  
図１は、この発明に係わるネットワーク電話システムの一実施形態を示す概略構成図である。  
このシステムは、ＬＡＮ（Local Area Network）１を有する。このＬＡＮ１には、複数のＳＩＰ端末としての電話端末２−１〜２−ｎ（ｎは自然数）が接続されている。また、ＬＡＮ１には、ＳＩＰサーバ装置３が接続されている。ＳＩＰサーバ装置３は、電話端末２−１〜２−ｎに対するＩＰアドレスの割り当て機能と、電話端末２−１〜２−ｎに対する呼制御機能とを有し、さらに各電話端末２−１〜２−ｎに割り当てたアドレスの管理機能を有している。
【００１７】
また、ＬＡＮ１には、電話帳サーバ装置４が接続されている。電話帳サーバ装置４は、上記ＳＩＰサーバ装置３にＩＰアドレスが登録されており、ＳＩＰサーバ装置３の機能の一部を実行するものである。
【００１８】
図２は、上記ＳＩＰサーバ装置３の機能構成を示すブロック図である。  
ＳＩＰサーバ装置３は、ＬＡＮインタフェース（Ｉ／Ｆ）部３１と、接続制御部３２と、データ管理部３３とを備えている。このうち、ＬＡＮインタフェース部３１は、ＬＡＮ１との間でインタフェース処理を行うものである。
【００１９】
接続制御部３２は、ＬＡＮ１との間で接続制御を行うもので、例えばＬＡＮ１上の電話端末２−１からの発信に応じて着信先となる電話端末２−２との間を接続すると共に、電話帳サーバ装置４からの接続要求に応じて電話端末２−３と電話端末２−５との間を接続する。
【００２０】
データ管理部３３は、上記接続制御部３２の接続制御に必要なルーティング情報等を格納している。このデータ管理部３３には、接続対象となる電話端末２−１〜２−ｎ及び電話帳サーバ装置４のＩＰアドレス及び電話番号が登録されている。
【００２１】
図３は、上記電話帳サーバ装置４の機能構成を示すブロック図である。  
電話帳サーバ装置４は、ＬＡＮインタフェース（Ｉ／Ｆ）部４１と、接続制御部４２と、ＨＴＴＰ通信制御部４３と、ＳＩＰ通信制御部４４と、データ管理部４５とを備えている。データ管理部４５には、図４に示す電話帳データテーブルと、図５に示す認証テーブルとが格納されている。なお、電話帳データテーブル及び認証テーブルの登録方法は、手動でもよいし、ＳＩＰサーバ装置３との通信により自動的に取得する方法でもよい。
【００２２】
ＬＡＮインタフェース部４１は、ＬＡＮ１との間でインタフェース処理を行うものである。
【００２３】
接続制御部４２は、ＬＡＮ１との間で接続制御を行うもので、例えばＬＡＮ１に接続される未登録のパーソナル・コンピュータからの接続要求を受け付ける。ここで、パーソナル・コンピュータに対しＩＤ及びパスワードの入力指示要求を送出し、要求に応じてパーソナル・コンピュータから受信したＩＤ及びパスワードとデータ管理部４５の認証テーブルに記憶されているＩＤ及びパスワードとの比較を行い、これによりユーザの正当性を判定する。
【００２４】
ＨＴＴＰ通信制御部４３は、接続要求のあった正当なパーソナル・コンピュータとの間でＨＴＴＰによる通信を行うもので、要求に応じてデータ管理部４５の電話帳データテーブルに記憶されている電話帳データを送出してモニタに表示させると共に、パーソナル・コンピュータにて電話帳データの中から選択された発信先の電話番号を受信する。
【００２５】
ＳＩＰ通信制御部４４は、ＬＡＮ１を介してＳＩＰサーバ装置３との間でＳＩＰによる通信を行うもので、上記ＨＴＴＰ通信制御部４３により発信先の電話番号を受信した場合に、認証に成功したユーザの電話番号を発信元としてこれら発信元の電話番号及び着信先の電話番号を含む接続指示情報をＳＩＰサーバ装置３に送出する。
【００２６】
また、上記接続制御部４２、ＨＴＴＰ通信制御部４３及びＳＩＰ通信制御部４４は、１０台分の電話端末を仮想的にレジストし、これら電話端末からの要求が同一時間帯に発生した場合にも、各処理を時分割で行う。
【００２７】
次に、以上のように構成されたネットワーク電話システムの動作を説明する。  
図６は、Click To Dialサービスを実行する際の電話端末２−２，２−ｎと、ＳＩＰサーバ装置３と、電話帳サーバ装置４との間における情報の送受信動作を示す概略シーケンス図である。図７は、上記Click To Dialサービスを実行する際の電話帳サーバ装置４の制御手順を示すフローチャートである。
【００２８】
Click To Dialサービスを実行する場合に、電話端末２−２のユーザは、パーソナル・コンピュータＰＣ１を使用してＬＡＮ１経由で電話帳サーバ装置４のｗｅｂホームページにアクセスする（図６（１）及びステップＳＴ７ａ）。この際、電話帳サーバ装置４はパーソナル・コンピュータＰＣ１に対し認証用のＩＤ及びパスワードの入力要求を送出する（図６（２）及びステップＳＴ７ｂ）。
【００２９】
パーソナル・コンピュータＰＣ１のユーザは、電話帳サーバ装置４から送られる要求画面の案内に従い、ＩＤ「ａａａａ」及びパスワード「１２３４５６」を入力する。そして、これらの入力が終了すると、これらＩＤ及びパスワードを電話帳サーバ装置４に向け送信する（図６（３））。
【００３０】
電話帳サーバ装置４は、パーソナル・コンピュータＰＣ１からＩＤ及びパスワードを受信し（ステップＳＴ７ｃ）、この受信ＩＤ及びパスワードと上記データ管理部４５に登録されているＩＤ及びパスワードとの比較を行い、正当なユーザであるか否かの判断を行う（ステップＳＴ７ｄ）。
【００３１】
ここで、正当なユーザでないと判定された場合（Ｎｏ）、電話帳サーバ装置４はエラーメッセージと送られてきたＩＤ及びパスワードをパーソナル・コンピュータＰＣ１に通知する（ステップＳＴ７ｅ）。
【００３２】
一方、正当なユーザであると判定された場合には（Ｙｅｓ）、電話帳サーバ装置４はユーザからの要求に応じてデータ管理部４５の電話帳データテーブルに格納されている電話帳データを読み出して、パーソナル・コンピュータＰＣ１に送信する（図６（４）及びステップＳＴ７ｆ）。
【００３３】
すると、パーソナル・コンピュータＰＣ１には、ＳＩＰサーバ装置３に登録されているＬＡＮ１上の全電話端末２−１〜２−ｎの電話番号が表示される。従って、この表示によりユーザは通話したい相手（総務の××  ××さん）の電話番号を知ることができる。
【００３４】
この状態でユーザが、電話端末２−ｎを呼び出すためにパーソナル・コンピュータＰＣ１において発信先の電話端末２−ｎの電話番号を選択したとする。そうするとパーソナル・コンンピュータＰＣ１は、電話帳サーバ装置４に対し発信先の電話端末２−ｎの電話番号情報を送信する（図６（５））。
【００３５】
これに対し電話帳サーバ装置４は、ステップＳＴ７ｇにおいてパーソナル・コンピュータＰＣ１からの電話番号情報の到来を監視している。この状態でパーソナル・コンピュータＰＣ１から電話番号情報が到来すると（Ｙｅｓ）、ＳＩＰで規定されているＲｅｆｅｒメッセージを作成し、このＲｅｆｅｒメッセージをＳＩＰサーバ装置３に向けて送信する（図６（６）及びステップＳＴ７ｈ）。このＲｅｆｅｒメッセージには、発信元の電話端末２−２の電話番号情報と着信先の電話端末２−ｎの電話番号情報が含まれる。
【００３６】
これに対しＳＩＰサーバ装置３は、電話帳サーバ装置４からのＲｅｆｅｒメッセージを受信すると、発信元の電話端末２−２に対しＲｅｆｅｒメッセージを送信して呼び出す（図６（７））。
【００３７】
そして、上記呼び出しに対し電話端末２−２はスピーカフォンモードとなり、電話端末２−ｎに対するＩＮＶＩＴＥメッセージをＳＩＰサーバ装置３に通知する（図６（８））。ＳＩＰサーバ装置３は、上記ＩＮＶＩＴＥメッセージを受信すると、このＩＮＶＩＴＥメッセージを電話端末２−ｎに送信して呼び出す（図６（９）（１０））。
【００３８】
そして、上記呼び出しに対し電話端末２−ｎが着信応答すると、その応答信号をＳＩＰサーバ装置３に通知する。ＳＩＰサーバ装置３は、着信応答を確認すると、電話端末２−２と電話端末２−ｎとの間に通信リンクを形成する。
【００３９】
かくして、パーソナル・コンピュータＰＣ１を所持する電話端末２−２のユーザは電話端末２−ｎのユーザとの間で通話を行うことが可能となる。
【００４０】
なお、上記ステップＳＴ７ｇにおいて、パーソナル・コンピュータＰＣ１を所持する電話端末２−２のユーザが電話帳発信サービスを一時的に停止する場合のように、ユーザが発信先の電話番号を一定時間内に選択しなかった場合には、電話帳サーバ装置４は処理を終了する。
【００４１】
以上のように上記実施形態では、複数のパーソナル・コンピュータに代えて１台の電話帳サーバ装置４をＳＩＰサーバ装置３に登録しておき、しかも電話帳サーバ装置４に、未登録のパーソナル・コンピュータからの要求に応じて要求元のパーソナル・コンピュータに対しＳＩＰサーバ装置３に登録されている全電話端末２−１〜２−ｎの電話帳データを提供して、パーソナル・コンピュータにて発信先の電話端末２−ｎが選択された場合に、ＳＩＰサーバ装置３に対し発信元の電話端末２−２及び着信先の電話端末２−ｎへの接続指示を行う機能を設けて、Click To Dialサービスを実行する場合に、制御処理をＳＩＰサーバ装置３に頼らずに電話帳サーバ装置４で分担して実行できるようにしている。
【００４２】
従って、ＳＩＰサーバ装置３に対し複数の電話端末２−１〜２−ｎと電話帳サーバ装置４のみを登録しておけばよく、これによりＳＩＰサーバ装置３のデータ管理部３３の記憶容量を低減することができ、リソース消費量を適正量に抑えることができる。また、電話帳サーバ装置４には必要時にのみ未登録のパーソナル・コンピュータが接続されることになるため、電話帳サーバ装置４を多数の未登録のパーソナル・コンピュータで共用する場合にその有効利用率を高めることができる。
【００４３】
また、上記実施形態では、電話帳サーバ装置４と未登録のパーソナル・コンピュータとの間で、ＨＴＴＰ通信により電話帳データの提供及び発信先の電話番号情報の受信を行うようにしているので、未登録のパーソナル・コンピュータとの間で通信を行うためのＳＩＰによる通信リンクを設ける必要がなく、これによりClick To Dialサービスを簡単に実施できる。
【００４４】
また、上記実施形態では、電話帳サーバ装置４において、複数の未登録のパーソナル・コンピュータとの間で、電話帳データの送出処理、発信先の電話番号情報の受信処理、ＳＩＰサーバ装置３に対するＲｅｆｅｒメッセージの送出処理を時分割で行うこともできるので、異なるパーソナル・コンピュータに係わる複数のClick To Dialサービスの実行要求が同一時間帯に発生した場合でも、これらClick To Dialサービスに係わる情報の転送を並行して行えるようになり、これにより上記複数のClick To Dialサービスの制御を効率良く実行できる。
【００４５】
さらに、上記実施形態では、電話帳データの提供に先立ち、電話帳サーバ装置４が保有するユーザのＩＤ及びパスワードを利用して、ユーザの認証を行うようにしているので、ユーザの正当性を事前に確実に判断することができ、これによりClick To Dialサービスの信頼性を向上させることができる。
【００４６】
なお、この発明は上記実施形態に限定されるものではない。例えば未登録のパーソナル・コンピュータにて発信先の電話番号を選択する例について説明したが、電話番号の他にＳＩＰ−ＵＲＩ等の発信相手を特定できる情報を用いてもよい。
【００４７】
また、上記実施形態では、ＩＤと電話番号とを別々に設ける例について説明したが、ＩＤと電話番号とが同一であってもよい。
【００４８】
また、上記実施形態では、発信元の電話端末を呼び出し、この呼び出しに対し応答した場合に、着信先の電話端末を呼び出す例について説明した。しかしこれに限ることなく、Ｒｅｆｅｒメッセージを受信した時点で、着信先の電話端末に対し自動的にＩＮＶＩＴＥメッセージを送出するようにしてもよい。
【００４９】
さらに、上記実施形態では、電話帳サーバ装置と未登録のパーソナル・コンピュータとの間でＬＡＮ上でＨＴＴＰ通信により電話帳データの送出、発信先の電話番号情報の受信等を行う例について説明した。しかしこれに限るものではなく、ＬＡＮ以外の別の通信回線により電話帳サーバ装置と未登録のパーソナル・コンピュータとの通信を行うようにしてもよい。
【００５０】
その他、システム構成、ＳＩＰサーバ装置及び電話帳サーバ装置の構成、電話端末の種類、Click To Dialサービスを実行する際の電話帳サーバ装置の制御手順とその内容等についても、この発明の要旨を逸脱しない範囲で種々変形して実施できる。
【図面の簡単な説明】
【００５１】
【図１】この発明に係わるネットワーク電話システムの一実施形態を示す概略構成図。
【図２】図１に示したＳＩＰサーバ装置の機能構成を示すブロック図。
【図３】図１に示した電話帳サーバ装置の機能構成を示すブロック図。
【図４】図３に示したデータ管理部に記憶されている電話帳データテーブルの記憶内容の一例を示す図。
【図５】図３に示したデータ管理部に記憶されている認証テーブルの記憶内容の一例を示す図。
【図６】同実施形態において、Click To Dialサービスを実行する際の電話端末と、ＳＩＰサーバ装置と、電話帳サーバ装置との間における情報の送受信動作を示す概略シーケンス図。
【図７】同実施形態において、Click To Dialサービスを実行する際の電話帳サーバ装置の制御手順を示すフローチャート。
【符号の説明】
【００５２】
１…ＬＡＮ（Local Area Network）、２−１〜２−ｎ…電話端末、３…ＳＩＰサーバ装置、４…電話帳サーバ装置、３１，４１…ＬＡＮインタフェース（Ｉ／Ｆ）部、３２，４２…接続制御部、３３，４５…データ管理部、４３…ＨＴＴＰ通信制御部、４４…ＳＩＰ通信制御部、ＰＣ１…パーソナル・コンピュータ。
【図１】
2006333220.tif 000003
【図２】
2006333220.tif 000004
【図３】
2006333220.tif 000005
【図４】
2006333220.tif 000006
【図５】
2006333220.tif 000007
【図６】
2006333220.tif 000008
【図７】
2006333220.tif 000009